【手続補正書】
【提出日】平成18年7月3日(2006.7.3)
【手続補正１】
【補正対象書類名】明細書
【補正対象項目名】特許請求の範囲
【補正方法】変更
【補正の内容】
【特許請求の範囲】
【請求項１】
アラビノース、リキソース、リボース、キシロース、トリメチロールプロパン、トリメチロールエタン、ジプロピレングロコール、ジグリセリン、キシリトール、エリスリトール、スレイトール、ペンタンエリスリトール及び１，２−ペンタンジオールから選ばれる多価アルコールの１種乃至は２種以上含有することを特徴とする、ヘアマニュキア用のリムーバー。
【請求項２】
多価アルコールの含有量が、総量で０．０１〜１０重量％であることを特徴とする、請求項１に記載のヘアマニュキア用のリムーバー。
【請求項３】
アラビノース、リキソース、リボース、キシロース、トリメチロールプロパン、トリメチロールエタン、ジプロピレングロコール、ジグリセリン、キシリトール、エリスリトール、スレイトール、ペンタンエリスリトール及び１，２−ペンタンジオールから選ばれる多価アルコールの１種乃至は２種以上を含有するヘアマニュキアと請求項１又は２に記載のヘアマニュキア用のリムーバーとからなる、ヘアマニュキアセット。
【請求項４】
ヘアマニュキア中に酸性染料を含有することを特徴とする、請求項３に記載のヘアマニュキアセット。
【手続補正２】
【補正対象書類名】明細書
【補正対象項目名】０００２
【補正方法】変更
【補正の内容】
【０００２】
【従来の技術】
毛髪はハードケラチンで構成されるキューティクルの積層した形状をしており、この様な毛髪に着色を行う場合には、ケラチンの硬い組織が障害となり、着色成分の毛髪表面への吸着や内部への浸透が均一になりにくく、その為、色味ののりのムラや、染色ムラなどが生じやすく、その改善が望まれていた。この様な問題を解決する手段として、本発明者らは、アラビノース、リキソース、リボース、キシロース、トリメチロールプロパン、トリメチロールエタン、ジプロピレングロコール、ジグリセリン、エリスリトール、スレイトール等のエーテル結合を０乃至は１個有する、炭素数４以上の多価アルコールを含有さ
せることにより、ヘアマニュキアの染毛成分である、酸性染料の毛髪内部への浸透を促進し、堅牢でムラのない染毛が為し得ることを見いだした。しかしながら、この様に堅牢でムラのない染毛料が開発されたことにより、新たな問題が生じた。即ち、この様に染色が堅牢であるが故に、毛髪以外の皮膚の部分に誤って塗布されて染色されると、これを落とすことが非常に困難な場合があることである。染色深度が深い故に、従来のヘアマニュキア用のリムーバーでは充分に落とせない場合があるのである。即ち、染色深度の深いヘアマニュキア用のリムーバーの開発が望まれていた。
【手続補正３】
【補正対象書類名】明細書
【補正対象項目名】０００３
【補正方法】変更
【補正の内容】
【０００３】
一方、ヘアマニュキア用のリムーバーにおいて、アラビノース、リキソース、リボース、キシロース、トリメチロールプロパン、トリメチロールエタン、ジプロピレングロコール、ジグリセリン、エリスリトール、スレイトール等のエーテル結合を０乃至は１個有する、炭素数４以上の多価アルコールを含有したものは知られていないし、この様なリムーバーが染色深度の深いヘアマニュキアの除去・補正用に優れていることも全く知られていない。かかるへマニュキア用のリムーバーと染色深度の深いヘアマニュキアを組み合わせてヘアマニュキアセットして用いることも全く知られていない。
【手続補正４】
【補正対象書類名】明細書
【補正対象項目名】０００５
【補正方法】変更
【補正の内容】
【０００５】
【課題を解決するための手段】
本発明者らは、この様な状況に鑑みて、染色深度の深いヘアマニュキア用のリムーバーを開発し、染色深度の深い染毛料の特性を生かした実用的なヘアマニュキアセットを提供すべく鋭意研究努力を重ねた結果、エーテル結合を０乃至は１個有する、炭素数４以上の特定の多価アルコールを含有するヘアマニュキア用のリムーバーに優れた染毛料除去作用を見いだし、発明を完成させるに至った。即ち、本発明は以下に示す技術に関するものである。
（１）アラビノース、リキソース、リボース、キシロース、トリメチロールプロパン、トリメチロールエタン、ジプロピレングロコール、ジグリセリン、キシリトール、エリスリトール、スレイトール、ペンタンエリスリトール及び１，２−ペンタンジオールから選ばれる多価アルコールの１種乃至は２種以上含有することを特徴とする、ヘアマニュキア用のリムーバー。
（２）多価アルコールの含有量が、総量で０．０１〜１０重量％であることを特徴とする、（１）に記載のヘアマニュキア用のリムーバー。
（３）アラビノース、リキソース、リボース、キシロース、トリメチロールプロパン、トリメチロールエタン、ジプロピレングロコール、ジグリセリン、キシリトール、エリスリトール、スレイトール、ペンタンエリスリトール及び１，２−ペンタンジオールから選ばれる多価アルコールの１種乃至は２種以上を含有するヘアマニュキアと（１）又は（２）に記載のヘアマニュキア用のリムーバーとからなる、ヘアマニュキアセット。
（４）ヘアマニュキア中に酸性染料を含有することを特徴とする、（３）に記載のヘアマニュキアセット。
以下、本発明について、実施の形態を中心に詳細に説明を加える。
【手続補正５】
【補正対象書類名】明細書
【補正対象項目名】０００６
【補正方法】変更
【補正の内容】
【０００６】
（１）本発明のヘアマニュキア用のリムーバーの必須成分である多価アルコール
本発明のヘアマニュキア用のリムーバーはエーテル結合を０乃至は１個有する、炭素数４以上の特定の多価アルコールから選ばれる１種乃至は２種以上含有することを特徴とする。この様な特定の多価アルコールは、浸透促進性を有する。エーテル結合が多数存在する多糖類やポリエチレングリコールのような水溶性高分子においては前記浸透性促進効果が得られない場合がある。この様な特定の多価アルコールとしては、アラビノース、リキソース、リボース、キシロース、トリメチロールプロパン、トリメチロールエタン、ジプロピレングロコール、ジグリセリン、キシリトール、エリスリトール、スレイトール、ペンタエリスリトール、１，２−ペンタンジオールが挙げられる。ここで、これらの多価アルコールは光学異性体の存在するものがあるが、この様な場合、本発明に於いてはそれぞれの光学異性体のみを用いることも可能であるし、ラセミ体の形態で用いることもできる。この様な多価アルコールは本発明のヘアマニュキア用のリムーバーに於いては、唯１種を含有させることも可能であるし、２種以上組み合わせて含有させることも可能である。本発明のヘアマニュキア用のリムーバーに於ける、これら多価アルコールの好ましい含有量は、総量で０．０１〜１０重量％であり、更に好ましくは０．５〜５重量％である。これは、この様な多価アルコールは多すぎても効果が頭打ちになる場合があり、少なすぎると効果が発現しない場合があるからである。
【手続補正６】
【補正対象書類名】明細書
【補正対象項目名】０００７
【補正方法】変更
【補正の内容】
【０００７】
（２）本発明のヘアマニュキア用のリムーバー
本発明のヘアマニュキア用のリムーバーは、上記特定の多価アルコールを含有し、毛髪の染色時に皮膚などに染着した染色組成物を除去するための組成物であり、通常は化粧料に分類される。従って、上記必須成分である、特定の多価アルコール類以外に通常化粧料などで使用される任意成分を含有することが出来る。この様な任意成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色材、防腐剤、粉体等を含有することができる。これら任意の成分と必須成分とを常法に従って処理することにより、本発明のヘアマニュキア用のリムーバーは製造することが出来る。
【手続補正７】
【補正対象書類名】明細書
【補正対象項目名】０００８
【補正方法】変更
【補正の内容】
【０００８】
（３）本発明のヘアマニュキアセット
本発明のヘアマニュキアセットは、上記ヘアマニュキア用のリムーバーと上記に示す特定の多価アルコールから選ばれる１種乃至は２種以上を含有するヘアマニュキアとを構成要素とする。前記ヘアマニュキアにおける、上記の多価アルコールの好ましい含有量はヘアマニュキアリムーバーに於ける含有量に準じる。この様なヘアマニュキアに於いては、使用する染料としては酸性染料を含有することが特に好ましい。酸性染料としては、化粧料などで使用されているものであれば特段の限定無く使用でき、例えば、橙色２０５号、茶色４０１号、紫色４０１号などが好ましく例示できる。かかる酸性染料の好ましい含有量は、総量で０．１〜１０重量％であり、更に好ましくは０．５〜５重量％である。ここで組成物としては、化粧料分類のものでも雑貨分類のものでも何れも良いが、化粧料分類のものに適用するのが好ましい。その他には化粧料で通常用いられる任意成分を含有することが出来る。かかる任意成分としては、ヘアマニュキアリムーバーの任意成分に準じれば良い。これらを常法に従って処理することにより、かかるヘアマニュキアは製造できる。
【手続補正８】
【補正対象書類名】明細書
【補正対象項目名】０００９
【補正方法】変更
【補正の内容】
【０００９】
＜製造例１＞
以下に示す処方に従って、本発明のヘアマニュキアセットのヘアマニュキアを作製した。即ち、処方成分を室温にて攪拌可溶化し、ヘアマニュキアを得た。このヘアマニュキアを用いて、白髪の染毛試験を行った。白髪の毛束（１０ｇ）を測色後、へマニュキアで処理し、余分なヘアマニュキアをシャンプーにより除去した後、再び測色し、処理の前後の明度差（ΔＬ値）を算出した。この時、同時に上記本発明のヘアマニュキアセットのヘアマニュキアの必須成分である多価アルコールを水に置換した対照例１とグリセリンに置換した比較例１とプロピレングリコールに置換した比較例２と従来のベンジルアルコールを使用した参考例１も同様に作製し、同様に試験した。結果を表１に示す。これより、本発明のヘアマニュキアセットのヘアマニュキアは染毛性に優れることがわかる。これは、本発明のヘアマニュキアセットのヘアマニュキアの必須成分であるエーテル結合を０乃至は１個有する、炭素数４以上の特定の多価アルコールにより、毛髪中への染料の浸透が促進された為である。（表中の成分の単位は重量部を表す。）
【手続補正９】
【補正対象書類名】明細書
【補正対象項目名】００１３
【補正方法】変更
【補正の内容】
【００１３】
＜実施例１＞
下記に示す処方に従ってヘアマニュキア用のリムーバーを作製した。即ち、処方成分を攪拌可溶化しリムーバーを得た。同時に本発明のリムーバーのキシリトールを水に置換した対照例２とグリセリンに置換した比較例３とを作製し、上記製造例１のヘアマニュキアに対する除去効果をブタの皮膚を用いて評価した。評価方法はブタ皮膚に製造例１のヘアマニュキアを０．０５ｍｌ塗布し、これをリムーバー５ｍｌを含浸させたコットンで拭き取り、未処理の皮膚との色差（ΔＥ値）を測定した。実施例１のリムーバーが０．４であるのに対し、対照例２が１．６であり、比較例３が１．１であり、本発明のリムーバーのリムーブ力の優秀性が証明された。
トリメチルグリシン                ３重量部
エタノール                        ５重量部
ベンジルアルコール              １０重量部
キシリトール                      ４重量部
水                              ７８重量部
【手続補正１０】
【補正対象書類名】明細書
【補正対象項目名】００１５
【補正方法】変更
【補正の内容】
【００１５】
【表２】
2001302459.tif 000001